(57)【要約】【課題】  吸込口からのミストの吸込みを効果的に抑制することができるミスト発生機能付き浴室空調装置を提供する。【解決手段】  ミスト発生機能付きの浴室空調装置１００であり、浴室にミストを噴霧するミストノズル１０２、１０４と、浴室の空気を吸い込む吸込口１４４と、ミストノズル１０２、１０４と吸込口１４４の間に位置しており、浴室に空気を吹出す吹出口１４２と、吹出口１４２に設けられており、傾斜角度を調整可能なルーバー１０６を備えており、ルーバー１０６の吸込口１４４側への最大傾斜角度が、ミストノズル１０２、１０４がミストを噴霧していないときに比してミストノズル１０２、１０４がミストを噴霧しているときに、小さく制限されることを特徴とする、ミスト発生機能付きの浴室空調装置１００。【選択図】  図３
2008116179.tif 000002
【特許請求の範囲】
【請求項１】
ミスト発生機能付きの浴室空調装置であり、
浴室にミストを噴霧するミストノズルと、
浴室の空気を吸い込む吸込口と、
ミストノズルと吸込口の間に位置しており、浴室に空気を吹出す吹出口と、
吹出口に設けられており、傾斜角度を調整可能なルーバーを備えており、
ルーバーの吸込口側への最大傾斜角度が、ミストノズルがミストを噴霧していないときに比してミストノズルがミストを噴霧しているときに、小さく制限されることを特徴とするミスト発生機能付きの浴室空調装置。
【請求項２】
吸込口から浴室の空気を吸い込んで、吹出口から浴室に空気を吹き出す循環ファンをさらに備えており、
ミストノズルがミストを噴霧しており、かつルーバーの吸込口側への傾斜角度が大きい場合に、循環ファンの回転数を上げることを特徴とする請求項１のミスト発生機能付きの浴室空調装置。
【請求項３】
空気を浴室外へ排出するダクトと、
吸込口から浴室の空気を吸い込んで、吸い込んだ空気をダクトへ送る換気ファンをさらに備えており、
ミストノズルがミストを噴霧しており、かつルーバーの吸込口側への傾斜角度が大きい場合に、換気ファンの回転数を下げることを特徴とする請求項１または２のミスト発生機能付きの浴室空調装置。
【発明の詳細な説明】
【技術分野】
【０００１】
本発明は、ミスト発生機能付きの浴室空調装置に関するものである。
【背景技術】
【０００２】
ミスト発生機能付きの浴室空調装置が知られている。このような浴室空調装置では、ミスト浴用のミストを浴室に噴霧する。入浴者はミスト浴を行うことによって、新陳代謝が促進され、老廃物が体外に排出され、血行が良くなるという効果が得られる。
【０００３】
浴室空調装置では、吸込口を通して浴室内から空気を吸い込み、空調処理を施した後に、吹出口を通して再び浴室内へと吹き出す。このため、ミスト発生機能付きの浴室空調装置では、浴室内の空気を吸い込む際に、浴室内に噴霧したミストも吸込口から吸い込まれる。
【０００４】
浴室内に発生させたミストを浴室空調装置が過剰に吸い込んでしまうと、浴室内のミストの量が減少してしまい、利用者が快適にミスト浴を楽しむことができない。また、吸込口からミストを過剰に吸い込んでしまうと、内部の機器に水滴が付着して機器の劣化を早めてしまったり、吸込口のフィルタに水滴が付着して、空気を吸い込むためのファンを駆動する際に異音を生じることがある。従って、ミスト発生機能付きの浴室空調装置においては、吸込口からのミストの吸い込みを抑制することが必要とされる。
【０００５】
特許文献１には、壁掛け型の浴室空調装置が開示されている。この浴室空調装置では、装置の上部に吸込口を設け、装置の下部に吹出口を設け、吹出口よりも低い位置にミストを噴霧するミストノズルを設ける構成としている。このような構成を採用することによって、ミストノズルから噴霧されたミストは、吹出口から吹き出される空気の流れによって室内側へ吹き流されて、装置の上部にある吸込口からは離れていく。吸込口からのミストの吸込みを抑制することができる。
【０００６】
【特許文献１】特開２００５−２８２９４５号公報
【発明の開示】
【発明が解決しようとする課題】
【０００７】
特許文献１の技術では、吹出口から空気を吹き出す方向によって、吸込口へのミストの吸込みやすさが変化する。空気を吹き出す方向が、吸込口から離れる方向に傾いていれば、それだけミストは吸込口から離れる方向に吹き流されて、吸込口へのミストの吸い込みを抑制することができる。逆に、空気を吹き出す方向が、吸込口に近づく方向に傾いていれば、それだけミストが吹き流される方向が吸込口に近づき、吸込口からミストを吸い込みやすくなってしまう。浴室空調装置がルーバーによって空気の吹き出し方向を可変としている場合、空気を吹き出す方向によっては、ミストの吸い込みをそれほど抑制できなくなってしまう場合がある。
【０００８】
本発明は、上記課題を解決するためになされたものであり、吸込口からのミストの吸込みを効果的に抑制することができるミスト発生機能付きの浴室空調装置を提供する。
【課題を解決するための手段】
【０００９】
本発明は、ミスト発生機能付きの浴室空調装置として具現化される。その浴室空調装置は、浴室にミストを噴霧するミストノズルと、浴室の空気を吸い込む吸込口と、ミストノズルと吸込口の間に位置しており、浴室に空気を吹出す吹出口と、吹出口に設けられており、傾斜角度を調整可能なルーバーを備えている。本発明の浴室空調装置では、ルーバーの吸込口側への最大傾斜角度が、ミストノズルがミストを噴霧していないときに比してミストノズルがミストを噴霧しているときに、小さく制限される。
【００１０】
本発明の浴室空調装置では、ミストノズルからミストを噴霧する場合には、ミストを噴霧しない場合に比べて、ルーバーの吸込口側への最大傾斜角度を小さく制限する。これによって、ミストを噴霧しているときにルーバーが吸込口側へ傾き過ぎてしまうことがない。吹き出し口から吹き出される空気によって、噴霧されたミストを確実に吸込み口から離れる方向に吹き流すことができる。吸込口からの過剰なミストの吸い込みを抑制することができる。本発明の浴室空調装置では、このようなルーバーの傾斜角度の制限を、ミストを噴霧する場合にのみ行っている。ミストを噴霧しない場合には、ルーバーの吸込口側への最大傾斜角度を大きくとることができる。
【００１１】
上記のミスト発生機能付き浴室空調装置は、吸込口から浴室の空気を吸い込んで、吹出口から浴室に空気を吹き出す循環ファンをさらに備えており、ミストノズルがミストを噴霧しており、かつルーバーの吸込口側への傾斜角度が大きい場合に、循環ファンの回転数を上げることが好ましい。
【００１２】
ミストの噴霧を行いながらルーバーの傾斜角度を変化させるときに、ルーバーの吸込口側への傾斜角度が大きくなるほど、吸込口からミストを吸い込みやすくなってしまう。上記の浴室空調装置では、ルーバーの吸込口側への傾斜角度が大きくなった場合に、循環ファンの回転数を強制的に引き上げる。これによって、吹出口から浴室に吹き出される空気の量が増加して、ミストが強く吹き流されて、吸込口へのミストの吸込みが抑制される。
【００１３】
上記の浴室空調装置は、空気を浴室外へ排出するダクトと、吸込口から浴室の空気を吸い込んで、吸い込んだ空気をダクトへ送る換気ファンをさらに備えており、ミストノズルがミストを噴霧しており、かつルーバーの吸込口側への傾斜角度が大きい場合に、換気ファンの回転数を下げることが好ましい。
【００１４】
上記の浴室空調装置では、換気ファンを回転させることによって、浴室内の空気をダクトを経由して浴室外へと排出する。この際に、換気ファンの回転数が高いと、それだけ多くの空気が浴室から吸込口へと吸い込まれるため、吸込口からミストを吸い込みやすくなってしまう。そこで、上記の浴室空調装置では、ミストを噴霧していて、換気ファンを回転させているときに、ルーバーの吸込口側への傾斜角度が大きくなった場合には、換気ファンの回転数を強制的に引き下げる。これによって、浴室から吸込口に吸い込まれる空気の量が低減し、吸込口からのミストの吸込みを抑制することができる。
【発明の効果】
【００１５】
本発明のミスト発生機能付きの浴室空調装置によれば、吸込口からのミストの吸込みを効果的に抑制することができる。
【発明を実施するための最良の形態】
【００１６】
後述する実施例の主要な特徴を記載する。
（形態１）  浴室空調装置は、天井埋込型の浴室暖房機である。
【実施例】
【００１７】
（第１実施例）
本発明のミスト発生機能付き浴室空調装置に係る第１実施例について、図面を参照しながら説明する。
図１に示す浴室暖房機１００は、浴室の天井Ｃに埋め込まれた浴室暖房機であり、その下面が浴室内を向いている。浴室暖房機１００の下面には、浴室の空気を吸い込む吸込口１４４と、暖房処理を施した空気を浴室へ吹き出す吹出口１４２と、浴室にミストを噴霧するミストノズル１０２、１０４が設けられている。ミストノズル１０２、１０４と、吸込口１４４との間に、吹出口１４２が配置されている。吸込口１４４には、吸い込まれる空気を清浄化するフィルタ１１２が設けられている。
【００１８】
浴室暖房機１００の内部には、モータ（図示省略）の駆動によって回転する循環ファン１４０と、浴室外に設置された熱源機（図示省略）から供給される温水と空気の間で熱交換する温水コイル１１０が設けられている。温水コイル１１０には、温水往管１４８と温水戻管１５０が接続されており、熱動弁１２４を開くと熱源機から温水往管１４８を経て温水が供給される。
暖房運転を行う場合には、メインコントローラ１１４が、モータを駆動して循環ファン１４０を回転させ、熱動弁１２４を開く。これによって、吸込口１４４から浴室内の空気が吸い込まれ、吸い込まれた空気が温水コイル１１０で加熱されて、吹出口１４２から浴室内へ吹き出される。なお温水コイル１１０で空気と熱交換して低温となった水は、温水戻管１５０を経て熱源機へ戻される。
送風運転を行う場合には、メインコントローラ１１４は、熱動弁１２４を閉じたまま、循環ファン１４０を回転させる。これによって、吸込口１４４から浴室内の空気が吸い込まれ、吸い込まれた空気が吹出口１４２から吹き出される。
【００１９】
循環ファン１４０の送風能力は、「微弱」と「弱」と「強」の３段階で設定可能となっている。循環ファン１４０の３段階の送風能力は、それぞれ循環ファン１４０の回転数に対応付けられている。送風能力が「微弱」の場合、循環ファン１４０の回転数は１０００ｒｐｍである。送風能力が「弱」の場合、循環ファン１４０の回転数は１３００ｒｐｍである。送風能力が「強」の場合、循環ファン１４０の回転数は１５００ｒｐｍである。循環ファン１４０の送風能力は、リモコン（図示省略）によって「微弱」と「弱」と「強」の何れかに設定可能である。また、循環ファン１４０の送風能力は、リモコンによって「自動」に設定されることもある。循環ファン１４０の送風能力が「自動」に設定されている場合、メインコントローラ１１４は、室温サーミスタ１０８で検出される浴室の空気の温度と、湯温サーミスタ１２２で検出される温水の温度に基いて、循環ファン１４０の送風能力を「微弱」と「弱」と「強」の何れかに設定する。メインコントローラ１１４は、設定された送風能力で循環ファン１４０を回転させる。
【００２０】
吹出口１４２には、吹出口１４２から空気を吹き出す方向を調整可能なルーバー１０６が設けられている。ルーバー１０６の傾斜角度は、メインコントローラ１１４によって制御される。本実施例では、浴室暖房機１００の下面とルーバー１０６が成す角度であって、吸込口１４４側へルーバー１０６が傾くときに増加する方向の角度を、ルーバー１０６の傾斜角度という。
【００２１】
ルーバー１０６の傾斜角度は、５段階に調整可能となっている。以下ではルーバー１０６の傾斜角度の段階を、角度が小さい方から、「角度１」、「角度２」、「角度３」、「角度４」、「角度５」と表現する。図３に示すように、本実施例の浴室暖房機１００では、ミストの噴霧を行わない運転時においては、「角度１」は４０度、「角度２」は５０度、「角度３」は６０度、「角度４」は７５度、「角度５」は９０度に設定されている。ルーバー１０６の傾斜角度は、リモコンによって設定可能となっている。利用者はリモコンを操作して、ルーバー１０６の傾斜角度の段階を「角度１」〜「角度５」の何れかに設定可能である。「角度１」〜「角度５」の何れかが設定されている場合、メインコントローラ１１４は、リモコンで設定された段階の傾斜角度となるように、ルーバー１０６へ指示する。また、利用者はルーバー１０６の傾斜角度を「角度１」〜「角度５」の何れかの段階に設定する代わりに、「スイング」に設定することもできる。「スイング」が設定されている場合、メインコントローラ１１４は、ルーバー１０６への傾斜角度の指示を、所定時間ごとに「角度１」から「角度５」まで段階的に変化させ、次いで「角度５」から「角度１」まで段階的に変化させる動作を繰り返す。
【００２２】
図１に示すように、浴室暖房機１００は、ミストノズル１０２、１０４に供給する水を加熱するミスト熱交換器１３２を備えている。給水管１５４から供給される水はミスト熱交換器１３２で加熱されて、ミスト供給管１５８、１６０を経由してミストノズル１０４、１０２へと供給される。給水管１５４のミスト熱交換器１３２よりも下流には、ミストサーミスタ１３４が設けられている。ミスト供給管１５８、１６０への分岐部には、排水管１５６が接続されている。排水管１５６からは、ミストの噴霧に用いられなかった水が排水される。給水管１５４および排水管１５６には、それぞれ給水電磁弁１３０、排水電磁弁１２８が設けられている。ミスト供給管１５８、１６０には、開度を調整可能なミスト電磁弁１３８、１３６が設けられている。
ミスト熱交換器１３２では、給水管１５４から供給される水と、温水往管１４８から分岐したミスト用温水管１５２を流れる温水の間で熱交換が行われる。ミスト用温水管１５２を流れる温水は、ミスト熱交換器１３２を通過して低温となった後、温水戻管１５０へ流入する。ミスト用温水管１５２には流量制御弁１２６が設けられており、ミストサーミスタ１３４の検出値に応じて開度が調整される。
【００２３】
給水電磁弁１３０、排水電磁弁１２８、ミスト電磁弁１３６、１３８および流量制御弁１２６は、ミストコントローラ１４６によって制御される。ミストコントローラ１４６はメインコントローラ１１４と通信可能である。リモコンからホットミスト運転またはクールミスト運転の開始が操作されると、メインコントローラ１１４からミストコントローラ１４６に運転の内容が送信される。ホットミスト運転の場合には、ミストコントローラ１４６は、給水電磁弁１３０とミスト電磁弁１３６、１３８を開き、流量制御弁１２６を開いて、ミスト熱交換器１３２で加熱された水をミストノズル１０２、１０４へ供給する。クールミスト運転の場合には、ミストコントローラ１４６は、流量制御弁１２６は閉じたまま、給水電磁弁１３０とミスト電磁弁１３６、１３８を開き、給水管１５４から供給される水を加熱することなくミストノズル１０２、１０４へ供給する。
【００２４】
ホットミスト運転においては、暖かいミストの噴霧とあわせて、浴室内の暖房が行われる。この場合には、メインコントローラ１１４は、ミストの噴霧を行わない通常の暖房運転と同じように、熱動弁１２４を開いて、循環ファン１４０を回転させる。
【００２５】
クールミスト運転においては、冷たいミストの噴霧とあわせて、浴室内の空気の循環が行われる。この場合には、メインコントローラ１１４は、ミストの噴霧を行わない通常の送風運転と同じように、熱動弁１２４は閉じたまま、循環ファン１４０を回転させる。
【００２６】
浴室暖房機１００は、換気ダクト１２０に空気を流す換気ファン１１８と、換気ダクト１２０の開度を調整する可動ダンパ１１６を備えている。換気ファン１１８はモータ（図示省略）を備えており、メインコントローラ１１４がモータを駆動することによって回転する。換気ダクト１２０は浴室の外部に開放されている。メインコントローラ１１４が、可動ダンパ１１６を開き、換気ファン１１８を回転させることによって、浴室内の空気が吸込口１４４から浴室暖房機１００に吸い込まれて、吸い込まれた空気は換気ダクト１２０へと排出される。
【００２７】
換気ファン１１８の送風能力は、「微弱」と「弱」と「強」の３段階で設定可能となっている。換気ファン１１８の３段階の送風能力は、それぞれ換気ファン１１８の回転数に対応付けられている。送風能力が「微弱」の場合、換気ファン１１８の回転数は１０００ｒｐｍである。送風能力が「弱」の場合、換気ファン１１８の回転数は１３００ｒｐｍである。送風能力が「強」の場合、換気ファン１１８の回転数は１５００ｒｐｍである。換気ファン１１８の送風能力は、リモコンによって「微弱」と「弱」と「強」の何れかに設定可能である。メインコントローラ１１４は、設定された送風能力で換気ファン１１８を回転させる。
【００２８】
換気運転においては、メインコントローラ１１４は、可動ダンパ１１６を開いて、換気ファン１１８を回転させる。これによって、吸込口１４４から浴室の空気が吸い出されて、吸い込まれた空気はダクト１２０を経由して浴室外へ排出される。換気運転は、単独で行うこともできるし、ミストの噴霧を行わない暖房運転や送風運転と並行して行うこともできるし、ホットミスト運転やクールミスト運転と並行して行うこともできる。
【００２９】
ホットミスト運転やクールミスト運転において、ミストノズル１０２、１０４から噴霧されたミストが吸込口１４４から過剰に吸い込まれると、浴室内のミストが減少して、利用者が快適にミスト浴を行うことができない。また、吸込口１４４から過剰にミストが吸い込まれると、循環ファン１４０や換気ファン１１８などの内部機器に水滴が付着して機器の劣化を早めてしまったり、フィルタ１１２に水滴が付着して、循環ファン１４０や換気ファン１１８を回転させる際に異音を生じることがある。そこで、本実施例の浴室暖房機１００は、ホットミスト運転またはクールミスト運転を行う際に、吸込口１４４からのミストの吸い込みを抑制するために、ルーバー１０６の傾斜角度や、循環ファン１４０の送風能力や、換気ファン１１８の送風能力に制限を設ける。以下では図２を参照しながら、ホットミスト運転においてメインコントローラ１１４およびミストコントローラ１４６が行う処理の詳細について説明する。
【００３０】
ホットミスト運転が開始されると、ステップＳ２０２では、ルーバー１０６の傾斜角度についての５段階の設定値を変更する。図３に示すように、本実施例の浴室暖房機１００では、「角度１」から「角度４」については、ミストを噴霧しない通常の暖房運転や送風運転の場合と同じ設定値を用いて、最も角度が大きい段階である「角度５」の設定値については、９０度から８０度に変更する。「角度５」の設定値を８０度に変更することによって、リモコンで「角度５」に設定された場合も、「スイング」が設定されている場合も、ルーバー１０６の傾斜角度は最大でも８０度に制限される。これによって、ミストノズル１０２、１０４から噴霧されたミストは、吹出口１４２から浴室内へ吹き出される空気の流れによって、常に吸込口１４４から離れる方向に吹き流される。ホットミスト運転時におけるルーバー１０６の吸込口１４４側への最大傾斜角度を制限することによって、ミストノズル１０２、１０４から噴霧されたミストの吸込口１４４からの吸い込みを抑制することができる。
【００３１】
図２のステップＳ２０４では、熱動弁１２４を開いて、循環ファン１４０を回転させる。これによって、温水コイル１１０に温水が流れ、浴室内の空気が吸込口１４４から吸い込まれ、温水コイル１１０で加熱されて、吹出口１４２へと吹き出される。浴室内の暖房が開始される。
【００３２】
ステップＳ２０６では、給水電磁弁１３０およびミスト電磁弁１３６、１３８を開き、流量制御弁１２６を開く。これによって、給水管１５４から水が供給され、その水がミスト熱交換器１３２で加熱されて、ミスト用温水管１５８、１６０を経由してミストノズル１０２、１０４へ供給される。ミストノズル１０２、１０４からのミストの噴霧が開始される。
【００３３】
ステップＳ２０８では、リモコンでの設定内容に応じて、ルーバー１０６を駆動する。
【００３４】
ステップＳ２１０では、ルーバー１０６への傾斜角度の指示が「角度５」であるか否かを判断する。ルーバー１０６の傾斜角度の指示が「角度５」である場合（ステップＳ２１０でＹＥＳの場合）、ルーバー１０６は吸込口１４４の側に最大限に傾いている。従って、ミストの吸い込みを抑制するために、処理はステップＳ２１２へ進む。ルーバー１０６への傾斜角度の指示が「角度１」〜「角度４」の場合（ステップＳ２１０でＮＯの場合）、処理はステップＳ２２６へ進む。
【００３５】
ステップＳ２１２では、循環ファン１４０の送風能力が「強」であるか否かを判断する。循環ファン１４０の送風能力が「強」である場合（ステップＳ２１２でＹＥＳの場合）、循環ファン１４０の回転数は十分に高く、これ以上に上げる必要がないため、処理はステップＳ２１６へ進む。循環ファン１４０の送風能力が「微弱」や「弱」である場合（ステップＳ２１２でＮＯの場合）、ステップＳ２１４へ進んで、循環ファン１４０の送風能力を強制的に「強」に変更し、ステップＳ２１６へ進む。
【００３６】
ステップＳ２１６では、浴室暖房機１００が換気運転を行っているか否かを判断する。換気運転を行っている場合（ステップＳ２１６でＹＥＳの場合）、処理はステップＳ２１８へ進む。換気運転を行っていない場合（ステップＳ２１６でＮＯの場合）、処理はステップＳ２２２へ進む。
【００３７】
ステップＳ２１８では、換気ファン１１８の送風能力が「微弱」であるか否かを判断する。換気ファン１１８の送風能力が「微弱」である場合（ステップＳ２１８でＹＥＳの場合）、換気ファン１１８の回転数は十分に低く、これ以下に下げる必要がないため、処理はステップＳ２２２へ進む。換気ファン１１８の送風能力が「弱」や「強」である場合（ステップＳ２１８でＮＯの場合）、ステップＳ２２０へ進んで、換気ファン１１８の送風能力を強制的に「微弱」に変更し、ステップＳ２２２へ進む。
【００３８】
ステップＳ２２２では、ルーバー１０６への傾斜角度の指示が「角度５」から変更されたか否かを判断する。ルーバー１０６への傾斜角度の指示が「角度５」のままである場合（ステップＳ２２２でＮＯの場合）、ステップＳ２２６へ進んで、ミストの吸込みを抑制するための循環ファン１４０や換気ファン１１８の回転数の制限を継続する。ルーバー１０６への傾斜角度の指示が「角度５」から変更された場合、ステップＳ２２４へ進む。
【００３９】
ステップＳ２２４では、循環ファン１４０の送風能力を、ステップＳ２１２およびＳ２１４で変更する前の状態に戻す。またステップＳ２２４では、もしステップＳ２２０で換気ファン１１８の送風能力について変更していた場合には、換気ファン１１８の送風能力についても変更前の状態に戻す。
【００４０】
ステップＳ２２６では、ホットミスト運転を終了するか否かを判断する。ホットミスト運転を継続する場合（ステップＳ２２６でＮＯの場合）には、処理はステップＳ２１０へ戻って、上述の処理を繰り返す。ホットミスト運転を終了する場合（ステップＳ２２６でＹＥＳの場合）には、処理はステップＳ２２８へ進む。
【００４１】
ステップＳ２２８では、ルーバー１０６の駆動を停止する。
【００４２】
ステップＳ２３０では、給水電磁弁１３０と流量制御弁１２６を閉じて、排水電磁弁１２８を開く。また、ミスト電磁弁１３８、１３６を閉じる。これによって、ミストノズル１０２、１０４からのミストの噴霧が終了する。
【００４３】
ステップＳ２３２では、熱動弁１２４を閉じ、循環ファン１４０の回転を停止する。これによって、浴室内の暖房が終了する。
【００４４】
ステップＳ２３４では、ステップＳ２０２で変更したルーバー１０６の傾斜角度についての５段階の設定値を、変更前の状態に戻して、ホットミスト運転を終了する。
【００４５】
本実施例の浴室暖房機１００では、ホットミスト運転中に、リモコンからの操作によってルーバー１０６の傾斜角度を「角度５」に変更した場合や、ルーバー１０６がスイングして「角度５」に到達した場合に、ステップＳ２１２およびＳ２１４で、循環ファン１４０の送風能力が強制的に「強」に切替えられる。これによって、吹出口１４２から吹き出される空気の量が増大し、ミストノズル１０２，１０４から噴霧されたミストが吸込口１４４へ吸い込まれることを抑制する。また、この際に換気運転を並行して行っている場合には、ステップＳ２１８で換気ファン１１８の送風能力が強制的に「微弱」に切替えられる。これによって、吸込口１４４から吸い込まれる空気の量が低減するため、吸込口１４４から浴室内のミストを吸い込みにくくなる。
【００４６】
その後、リモコンからの操作によってルーバー１０６の傾斜角度が「角度１」〜「角度４」の何れかに変更された場合や、ルーバー１０６がスイングして「角度５」から「角度４」に移行する場合に、循環ファン１４０の送風能力と換気ファン１１８の送風能力は、それぞれ変更前の送風能力に戻される。
【００４７】
上記ではホットミスト運転の場合を例示したが、浴室暖房機１００はクールミスト運転でも同様の運転を行う。クールミスト運転の場合には、温水コイル１１０での空気の加熱と、ミスト熱交換器１３２での水の加熱が行われないことを除いて、上記で説明したホットミスト運転と同様の処理が行われる。
【００４８】
上記の実施例では、吸込口１４４からのミストの吸込みを抑制するために、ミスト噴霧時の換気ファン１１８の送風能力を強制的に「微弱」に変更する例を説明したが、送風能力を「微弱」に変更する代わりに、換気ファン１１８の回転そのものを一時停止させる構成としてもよい。あるいは、換気ファン１１８の送風能力を「微弱」に変更する代わりに、可動ダンパ１１６を閉じる構成としてもよい。
【００４９】
上記の実施例では、浴室暖房機１００として天井埋込型のものを例示したが、壁掛け型の浴室暖房機についても、本実施例に開示した吸込口へのミストの吸込みを抑制する技術を適用することができる。
【００５０】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
また、本明細書または図面に説明した技術要素は、単独であるいは各種の組合せによって技術的有用性を発揮するものであり、出願時の請求項記載の組合せに限定されるものではない。また、本明細書または図面に例示した技術は複数目的を同時に達成するものであり、そのうちの一つの目的を達成すること自体で技術的有用性を持つものである。
【図面の簡単な説明】
【００５１】
【図１】図１は第１実施例の浴室暖房機１００の断面図である。
【図２】図２は第１実施例の浴室暖房機１００のホットミスト運転の内容を説明するフローチャートである。
【図３】図３は第１実施例の浴室暖房機１００のルーバー１０６の傾斜角度の段階を模式的に示す図である。
【符号の説明】
【００５２】
１００：浴室暖房機
１０２、１０４：ミストノズル
１０６：ルーバー
１０８：室温サーミスタ
１１０：温水コイル
１１２：フィルタ
１１４：メインコントローラ
１１６：可動ダンパ
１１８：換気ファン
１２０：ダクト
１２２：湯温サーミスタ
１２４：熱動弁
１２６：流量制御弁
１２８：排水電磁弁
１３０：給水電磁弁
１３２：ミスト熱交換器
１３４：ミストサーミスタ
１３６、１３８：ミスト電磁弁
１４０：循環ファン
１４２：吹出口
１４４：吸込口
１４６：ミストコントローラ
１４８：温水往管
１５０：温水戻管
１５２：ミスト用温水管
１５４：給水管
１５６：排水管
１５８、１６０：ミスト供給管
【図１】
2008116179.tif 000003
【図２】
2008116179.tif 000004
【図３】
2008116179.tif 000005